(57)【要約】【課題】画像形成装置において、スキャンユニットを開状態にしたときに原稿台カバーが倒れてしまうことがなく、組み立て作業時等において作業性を向上させる。【解決手段】画像形成装置のスキャンユニット３は、プリンタ筐体１０の上部に回動可能に軸支され、スキャンユニット３の上部には原稿台カバー１１が回動可能に配設されている。原稿台カバー１１には被係合部１３が形成されており、その下方にロック機構４０が配設されている。ロック機構４０は、プリンタ筐体１０に対し回動自在に軸支された連結ロッド４２と、スキャナ筐体３５に回動可能に軸支され連結ロッド４２に連結されたフック部材４３とを有している。スキャンユニット３の回動に伴いフック部材４３が回動され、フック部材４３に形成された係合フック４３ｃがスキャンユニット３の上面に突出して被係合部１３に係合し、原稿台カバー１１が閉状態のまま保持される。【選択図】図５
2008180892.tif 000002
【特許請求の範囲】
【請求項１】
上部に開口部が形成されたプリンタ筐体と、
前記プリンタ筐体の上方に前記開口部を覆うように配置されたスキャナ筐体と、そのスキャナ筐体の上部に配置された略矩形形状の原稿台と、前記スキャナ筐体の内部に収納され、前記原稿台上に載置された原稿を画像データとして読み取る読取部とを有するスキャンユニットと、
前記スキャナ筐体の上部に回動自在に配置され、前記原稿台の上面を覆う閉状態であるときに、前記原稿台上に載置された原稿をその原稿台との間で挟むことにより、その原稿を前記原稿台に密着させる原稿台カバーと、
前記プリンタ筐体に収納されており、前記スキャンユニットにより読み取られた原稿の画像データ又は外部装置から入力された画像データに基づいて記録紙に画像を形成する機能を有する画像形成部とを備え、
前記スキャナ筐体は、前記プリンタ筐体背部近傍に略水平に回動可能に軸支されており、前記スキャンユニットを前記プリンタ筐体に対し上方に回動させることにより前記開口部を開閉可能に構成されている画像形成装置において、
前記原稿台カバー下面のうち側部近傍部位には、下方に向け突設された被係合部が形成されており、
前記スキャナ筐体の上面のうち、前記被係合部に対応する部位には、前記スキャナ筐体内部に貫通するロック孔部が形成されており、
前記ロック孔部の下方には、前記スキャンユニットの前記プリンタ筐体に対する開閉姿勢に応じて変位するロック機構が配設されており、
前記ロック機構は、
前記プリンタ筐体の上部に前後方向に摺動可能に配置されたスライド部材と、
一端が前記スライド部材のロッド軸支部にて略水平に軸支されて前記スライド部材に対し回動自在に配置された連結ロッドと、
前記スキャナ筐体の上内面のフック軸支部に略水平に回動可能に軸支され、その一端部が前記連結ロッドの他端部に回動自在に連結され、その他端部に前記被係合部に係合可能な係合フックが形成された略棒形状のフック部材とを有しており、
前記スキャンユニットが前記開口部を覆う閉状態であるとき、前記フック部材が略水平姿勢であり、
前記スキャンユニットが閉状態から上方に回動されるとき、前記ロッド軸支部と前記フック軸支部との間の距離が変化して前記フック部材の一端部が前記連結ロッドに引っ張られることにより、前記フック部材が前記フック軸支部周りに回動し、前記係合フックが前記ロック孔部から上方に突出するように構成されており、
前記原稿台カバーが閉状態にあるとき、前記スキャンユニットが開状態になるに伴い、前記係合フックが前記ロック孔部から突出して前記被係合部に係合し、前記原稿台カバーが閉状態のまま保持され、前記スキャンユニットの前記プリンタ筐体に対する回動角が大きくなっても、前記原稿台カバーが回動して倒れることを防止することができ、画像形成装置の組立作業を容易に行うことができるように構成されていることを特徴とする画像形成装置。
【請求項２】
上部に開口部が形成されたプリンタ筐体と、
前記プリンタ筐体に回動可能に軸支され、閉状態のとき前記開口部を覆うように配置されたスキャナ筐体と、そのスキャナ筐体の上部に配置された略矩形形状の原稿台と、前記スキャナ筐体の内部に収納され、前記原稿台上に載置された原稿を画像データとして読み取る読取部とを有するスキャンユニットと、
前記スキャナ筐体の上部に、そのスキャナ筐体に対し回動自在に配置され、前記原稿台の上面を覆う閉状態であるときに前記原稿台上に載置された原稿をその原稿台との間で挟むことにより、その原稿を前記原稿台に密着させる原稿台カバーと、
前記プリンタ筐体に収納されており、前記スキャンユニットにより読み取られた原稿の画像データ又は外部装置から入力された画像データに基づいて記録紙に画像を形成する機能を有する画像形成部とを備えた画像形成装置において、
前記原稿台カバー下面には、被係合部が形成されており、
前記スキャナ筐体の上面のうち、前記被係合部に対応する部位には、前記スキャナ筐体内部に貫通するロック孔部が形成されており、
前記ロック孔部の下方には、前記スキャンユニットの前記プリンタ筐体に対する開閉に連動し、前記被係合部に係合可能な係合フックを前記ロック孔部から上方に突出させるように構成されたロック機構が配設されており、
前記原稿台カバーが閉状態にあるとき、前記スキャンユニットが前記プリンタ筐体に対し回動されるに伴い、前記係合フックが前記ロック孔部から突出して前記被係合部に係合し、前記原稿台カバーが閉状態のまま保持されるように構成されていることを特徴とする画像形成装置。
【請求項３】
前記ロック機構は、一端が前記プリンタ筐体のロッド軸支部にて回動自在に軸支された連結ロッドと、前記スキャナ筐体の内部のフック軸支部に回動可能に軸支され、その一端部が前記連結ロッドの他端部に回動自在に連結され、その他端部に前記係合フックが形成された略棒形状又は腕形状のフック部材とを有しており、
前記スキャンユニットが前記開口部を覆う閉状態であるとき、前記フック部材が、前記係合フックが前記ロック孔部から上方に突出しないような姿勢であり、
前記スキャンユニットが閉状態から上方に回動されるとき、前記ロッド軸支部と前記フック軸支部との間の距離が変化して前記フック部材の一端部が前記連結ロッドに引っ張られることにより、前記フック部材が前記フック軸支部周りに回動し、前記係合フックが前記ロック孔部から上方に突出するように構成されていることを特徴とする請求項２に記載の画像形成装置。
【発明の詳細な説明】
【技術分野】
【０００１】
本発明は、記録紙に画像を形成する画像形成装置に関し、特に、原稿台に載置された原稿を画像データとして読み取るスキャンユニットを搭載しているものに関する。
【背景技術】
【０００２】
従来より、例えばＣＩＳ（Contact Image Sensor）等のセンサにより原稿台上に載置された原稿を画像データとして読み取るようないわゆるフラットベッド型のスキャンユニットを、スキャンユニットの下方に配置され記録紙に画像を形成する画像形成部が収納されたプリンタ筐体に対し、回動自在に軸支して配置したものが知られている。図６は、このような画像形成装置の一例を示す。画像形成装置８１は、画像形成部８２が内部に収納されているプリンタ筐体８１０と、プリンタ筐体８１０の上背部近傍部位に軸支されたスキャンユニット８３を有している。スキャンユニット８３の上面には原稿台（図示せず）が配置されており、その原稿台の上面を覆うように、原稿台カバー８１１が、スキャンユニット８３の上背部に、スキャンユニット８３に対し回動可能に設けられている。原稿台カバー８１１は、その自重により原稿台上面を覆うように配置されており、ユーザが原稿台カバー８１１を持ち上げ回動させることにより、原稿台に原稿を載置可能になる。プリンタ筐体８１０の上部には、スキャンユニットにより覆われた開口部８１０ａが形成されており、図に矢印Ｖで示すようにスキャンユニット８３をプリンタ筐体８１０に対し上方に回動させ、開口部８１０ａが外部に露出する開状態にすることにより、画像形成部８２のメンテナンス作業等を行うことができるように構成されている。
【０００３】
ところで、上記のような従来の画像形成装置８１においては、スキャンユニット８３のプリンタ筐体８１０に対する回動角が大きくなると、図に矢印Ｗで示すように、原稿台カバー８１１が後方に倒れてしまう。画像形成装置８１のメンテナンス時等において、例えばスキャンユニット８３を開状態にする度に原稿台カバー８１１が後方に倒れると、原稿台カバー８１１を元の閉状態に戻すのが面倒である。また、原稿台カバー８１１が勢い良く後方に倒れると、原稿台カバー８１１や、それをプリンタ筐体８１０に軸支するヒンジ部材等が破損してしまう恐れもある。
【０００４】
このような問題点に関し、例えば特許文献１には、スキャンユニットの開閉時に、手動でフックを回転させて原稿台カバーをスキャンユニットにロックし、その原稿台カバーを閉じた状態でのみスキャンユニットを開状態にすることができるようにした画像形成装置が示されている。しかしながら、このような画像形成装置では、原稿台カバーをロックするためにユーザがフックを手動操作する必要があり、操作が煩わしく面倒であるという問題がある。他方、例えば、スキャンユニットとプリンタ筐体とに、両端部がそれぞれ互いに抜脱されないように埋入された支持ロッドを設けることにより、スキャンユニットの回動角を規制し、画像形成装置の通常使用時にスキャンユニットを開状態にしたときにも原稿台カバーが倒れないようにした画像形成装置が知られている。しかしながら、画像形成装置の製造時等、スキャンユニットを大きく回動させて作業等を行う必要がある場合には、上記のような支持ロッドを利用することができない。そのため、そのような作業時には、原稿台カバーが後方に倒れないように留意しつつ組み立て作業等を行う必要があり、作業性が悪いという問題がある。
【０００５】
なお、特許文献２には、筐体後端部に設けたストッパにより、原稿カバーが所定の角度より回動しないようにし、スキャンユニットを回動させたときにも、装置が転倒しないように構成された画像形成装置が示されている。しかし、この構成では、原稿カバーが所定の角度よりも回動しないので、原稿カバーを取り付けている状態ではスキャンユニットを大きく回動させることができない。また、特許文献３には、スキャナユニットと原稿台カバーとをワイヤでつなぐことによって、スキャナユニットを開状態にしたときにも原稿台カバーが大きく開かないように構成された画像形成装置が示されている。しかしながら、この画像形成装置では、ワイヤがつながれているため、例えば書籍のような厚みが大きい原稿を読み取るときなどに原稿台カバーを取り外しにくいという問題がある。なお、特許文献４には、原稿台カバーの開閉動作に連動して、画像形成部を前後に移動させることにより、原稿台カバーを大きく開いたときにも装置本体が転倒しないように構成された画像形成装置が示されているが、特許文献４には上記問題点に対し有効な解決策は示されていない。
【特許文献１】特許３６４４３７６号公報
【特許文献２】特許３４６０９９３号公報
【特許文献３】特開２００１‐２８１７７１号公報
【特許文献４】特開２００４‐９３９０２号公報
【発明の開示】
【発明が解決しようとする課題】
【０００６】
本発明は、上記問題点を鑑みてなされたものであり、スキャンユニットを開状態にしたときに原稿台カバーが倒れることがなく、組み立て作業時等において作業性を向上させることが可能な画像形成装置を提供することを目的とする。
【課題を解決するための手段】
【０００７】
上記目的を達成するため、請求項１の発明は、上部に開口部が形成されたプリンタ筐体と、前記プリンタ筐体の上方に前記開口部を覆うように配置されたスキャナ筐体と、そのスキャナ筐体の上部に配置された略矩形形状の原稿台と、前記スキャナ筐体の内部に収納され、前記原稿台上に載置された原稿を画像データとして読み取る読取部とを有するスキャンユニットと、前記スキャナ筐体の上部に回動自在に配置され、前記原稿台の上面を覆う閉状態であるときに、前記原稿台上に載置された原稿をその原稿台との間で挟むことにより、その原稿を前記原稿台に密着させる原稿台カバーと、前記プリンタ筐体に収納されており、前記スキャンユニットにより読み取られた原稿の画像データ又は外部装置から入力された画像データに基づいて記録紙に画像を形成する機能を有する画像形成部とを備え、前記スキャナ筐体は、前記プリンタ筐体背部近傍に略水平に回動可能に軸支されており、前記スキャンユニットを前記プリンタ筐体に対し上方に回動させることにより前記開口部を開閉可能に構成されている画像形成装置において、前記原稿台カバー下面のうち側部近傍部位には、下方に向け突設された被係合部が形成されており、前記スキャナ筐体の上面のうち、前記被係合部に対応する部位には、前記スキャナ筐体内部に貫通するロック孔部が形成されており、前記ロック孔部の下方には、前記スキャンユニットの前記プリンタ筐体に対する開閉姿勢に応じて変位するロック機構が配設されており、前記ロック機構は、前記プリンタ筐体の上部に前後方向に摺動可能に配置されたスライド部材と、一端が前記スライド部材のロッド軸支部にて略水平に軸支されて前記スライド部材に対し回動自在に配置された連結ロッドと、前記スキャナ筐体の上内面のフック軸支部に略水平に回動可能に軸支され、その一端部が前記連結ロッドの他端部に回動自在に連結され、その他端部に前記被係合部に係合可能な係合フックが形成された略棒形状のフック部材とを有しており、前記スキャンユニットが前記開口部を覆う閉状態であるとき、前記フック部材が略水平姿勢であり、前記スキャンユニットが閉状態から上方に回動されるとき、前記ロッド軸支部と前記フック軸支部との間の距離が変化して前記フック部材の他端部が前記連結ロッドに引っ張られることにより、前記フック部材が前記フック軸支部周りに回動し、前記係合フックが前記ロック孔部から上方に突出するように構成されており、前記原稿台カバーが閉状態にあるとき、前記スキャンユニットが開状態になるに伴い、前記係合フックが前記ロック孔部から突出して前記被係合部に係合し、前記原稿台カバーが閉状態のまま保持され、前記スキャンユニットの前記プリンタ筐体に対する回動角が大きくなっても、前記原稿台カバーが回動して倒れることを防止することができ、画像形成装置の組立作業を容易に行うことができるように構成されているものである。
【０００８】
請求項２の発明は、上部に開口部が形成されたプリンタ筐体と、前記プリンタ筐体に回動可能に軸支され、閉状態のとき前記開口部を覆うように配置されたスキャナ筐体と、そのスキャナ筐体の上部に配置された略矩形形状の原稿台と、前記スキャナ筐体の内部に収納され、前記原稿台上に載置された原稿を画像データとして読み取る読取部とを有するスキャンユニットと、前記スキャナ筐体の上部に、そのスキャナ筐体に対し回動自在に配置され、前記原稿台の上面を覆う閉状態であるときに前記原稿台上に載置された原稿をその原稿台との間で挟むことにより、その原稿を前記原稿台に密着させる原稿台カバーと、前記プリンタ筐体に収納されており、前記スキャンユニットにより読み取られた原稿の画像データ又は外部装置から入力された画像データに基づいて記録紙に画像を形成する機能を有する画像形成部とを備えた画像形成装置において、前記原稿台カバー下面には、被係合部が形成されており、前記スキャナ筐体の上面のうち、前記被係合部に対応する部位には、前記スキャナ筐体内部に貫通するロック孔部が形成されており、前記ロック孔部の下方には、前記スキャンユニットの前記プリンタ筐体に対する開閉に連動し、前記被係合部に係合可能な係合フックを前記ロック孔部から上方に突出させるように構成されたロック機構が配設されており、前記原稿台カバーが閉状態にあるとき、前記スキャンユニットが前記プリンタ筐体に対し回動されるに伴い、前記係合フックが前記ロック孔部から突出して前記被係合部に係合し、前記原稿台カバーが閉状態のまま保持されるように構成されているものである。
【０００９】
請求項３の発明は、請求項２の発明において、前記ロック機構は、一端が前記プリンタ筐体のロッド軸支部にて回動自在に軸支された連結ロッドと、前記スキャナ筐体の内部のフック軸支部に回動可能に軸支され、その一端部が前記連結ロッドの他端部に回動自在に連結され、その他端部に前記係合フックが形成された略棒形状のフック部材とを有しており、前記スキャンユニットが前記開口部を覆う閉状態であるとき、前記フック部材が略水平姿勢であり、前記スキャンユニットが閉状態から上方に回動されるとき、前記ロッド軸支部と前記フック軸支部との間の距離が変化して前記フック部材の他端部が前記連結ロッドに引っ張られることにより、前記フック部材が前記フック軸支部周りに回動し、前記係合フックが前記ロック孔部から上方に突出するように構成されているものである。
【発明の効果】
【００１０】
請求項１の発明によれば、原稿台カバーが閉状態にあるとき、スキャンユニットが開状態になるに伴い、フック部材の係合フックが突出して被係合部に係合するので、原稿台カバーを閉状態に固定するために特別な操作を行わなくても、原稿台カバーが閉状態のまま保持される。従って、スキャンユニットのプリンタ筐体に対する回動角が大きくなっても、原稿台カバーが倒れることがなくなり、画像形成装置の組立作業を容易に行うことができる。また、ロック機構のフック部材は、スキャンユニットが閉状態であるときには略水平姿勢であり、スキャナ筐体の内部に収納されているので、スキャンユニットが閉状態である通常使用時において、画像形成装置が使用しやすく、また、画像形成装置の外観も良好になる。そして、ロック機構の連結ロッドは、前後方向に摺動可能に配置されたスライド部材に軸支されているので、ロック機構により原稿台カバーを閉状態のまま保持した状態で、スキャンユニットをより幅広い角度に回動させることができるようになる。
【００１１】
請求項２の発明によれば、原稿台カバーが閉状態にあり、スキャンユニットがプリンタ筐体に対し回動されたとき、スキャンユニットの回動に連動してロック機構の係合フックが突出して被係合部に係合するので、原稿台カバーを閉状態に固定するために特別な操作を行わなくても、原稿台カバーが閉状態のまま保持される。従って、上述と同様に、原稿台カバーが倒れることがなくなり、画像形成装置の組立作業を容易に行うことができる。
【００１２】
請求項３の発明によれば、ロック機構のフック部材は、スキャンユニットが閉状態であるときには係合フックがロック孔部から上方に突出しないような姿勢であるので、スキャンユニットが閉状態である通常使用時において、画像形成装置が使用しやすくなり、また、画像形成装置の外観も良好になる。
【発明を実施するための最良の形態】
【００１３】
以下、本発明の一実施形態について図面を参照しつつ説明する。図１及び図２は、本実施形態に係る画像形成装置の一例を示す。この画像形成装置１は、いわゆるオールインワン型のものであり、樹脂製のプリンタ筐体１０の内部に収納された画像形成部２と、そのプリンタ筐体１０の上方に、その背面側でプリンタ筐体１０の背部近傍部位のヒンジ２１に水平に回動可能に軸支された状態で配置され、原稿（図示せず）を画像データとして読み取る略直方体形状のスキャンユニット３と、プリンタ筐体１０の上部に配置された外部から操作可能な操作ボタン４及び画像形成装置１の動作状態等を表示する液晶表示部５と、例えばプリンタ筐体１０の前面に配置され、例えばデジタルスチルカメラやメモリーカード等の外部機器が接続されるコネクタ部７等を有している。スキャンユニット３の上部には、原稿台カバー１１が配置されている。プリンタ筐体１０の背部には、画像形成部２に搬送される記録紙（図示せず）がセットされる給紙トレイ１５が設けられており、画像形成部２の前面には、画像形成部２により画像が形成された記録紙が排出される排紙トレイ１６が設けられている。この画像形成装置１は、例えば、コネクタ部７等に接続された外部機器や、例えばプリンタ筐体１０の背部に設けられたコネクタを介して接続された外部のパーソナルコンピュータ等から入力された画像データ等や、スキャンユニット３により読み取られた画像データ等を用いて、画像形成部２により記録紙に画像を形成する機能を有している。
【００１４】
画像形成部２は、いわゆるインクジェット方式により記録紙に画像を形成するものである。画像形成部２は、例えば、記録紙を給紙トレイ１５から一枚ずつプリンタ筐体１０の内部に給紙して排紙トレイ１６上に排出するローラ及びそのローラを駆動するモータ等を有する記録紙搬送機構（図示せず）や、プリンタ筐体１０の内部に搬送された記録紙にインクを吐出するヘッドを搭載したキャリッジ２ａや、キャリッジ２ａを記録紙の搬送方向に略直交する方向に往復駆動させるモータ及び駆動ベルト（図示せず）等で構成されている。なお、画像形成部２は、例えば電子写真方式や熱転写方式等により記録紙に画像を形成するようなものであってもよい。
【００１５】
図２に示すように、プリンタ筐体１０の上方には開口部１０ａが形成されており、スキャンユニット３がプリンタ筐体１０に対し回動されることにより、この開口部１０ａを開閉することができるように構成されている。すなわち、画像形成装置１の通常使用時には、開口部１０ａが図１に示すようにスキャンユニット３により覆われる閉状態とされ、画像形成部２が外部に露出しないように構成されている。そして、図２に示すように、スキャンユニット３をプリンタ筐体１０に対し上方に回動させて開口部１０ａを外部に露出させた開状態にすることにより、例えば記録紙に吐出されるインクが封入されたインクカートリッジ（図示せず）等をキャリッジ２ａに取り付ける作業等、画像形成部２のメンテナンス作業を行うことができるように構成されている。なお、スキャンユニット３の下面には、略棒形状の支持アーム１８の上端部が接続されている。支持アーム１８は、その下端部をプリンタ筐体１０の上面に係合させることができるように形成されている。スキャンユニット３が開状態のときに、この支持アーム１８の下端部をプリンタ筐体１０の上面に係合させて支持アーム１８をスキャンユニット３とプリンタ筐体１０との間で突っ張らせることにより、スキャンユニット３を開状態としたまま保持することができ、上記メンテナンス作業を容易に行うことができるように構成されている。
【００１６】
スキャンユニット３は、プリンタ筐体１０に軸支され上面略中央部に矩形開口を有する箱形状のスキャナ筐体３５及びそのスキャナ筐体３５の矩形開口に配置された例えばガラス製の原稿台３ａで囲まれた略直方体形状に構成されている。スキャナ筐体３５の内部で、原稿台３ａの下部には、例えばモータ３０ａ及びモータ３０ａにより駆動されるＣＩＳ（Contact Image Sensor）３０ｂ等で構成される、原稿を画像データとして読み取るための読取部３０が収納されている。すなわち、スキャンユニット３は、原稿台３ａの下面に当接させながらＣＩＳ３０ｂをスキャナ筐体３５の内部で移動させ、ＣＩＳ３０ｂにより原稿台３ａに載置された原稿を撮像し、その原稿を画像データとして読み取るように構成されている。
【００１７】
原稿台カバー１１は、スキャンユニット３のスキャナ筐体３５の上部に、スキャナ筐体３５から上方に露出した原稿台３ａを覆うように配置されている。原稿台カバー１１は、スキャナ筐体３５に対し上下方向に摺動可能に嵌装されたスライドヒンジ２０の上部に軸支され、スキャナ筐体３５に対し回動可能に及び上下方向に変位可能に配設されている。この原稿台カバー１１の下面のうち原稿台３ａに対応する位置には、原稿を原稿台３ａに密着させるために、例えばスポンジ製のパッド１２が取り付けられている。操作ボタン４及び液晶表示部５は、スキャンユニット３の上面のうち、原稿台カバー１１により覆われない部位に配設されている。原稿台カバー１１は、原稿台３ａの上面を覆う閉状態であるときに、その自重により原稿台３ａ上に載置された原稿をその原稿台３ａとの間で挟むことにより、その原稿を原稿台３ａに密着させ、良好に原稿を読み取ることができるように構成されている。この画像形成装置１においては、原稿台カバー１１がスライドヒンジ２０により上下に変位可能であり、例えば書籍等厚みが大きい原稿を読み取る際にも、その原稿を原稿台３ａに密着させることができるように構成されている。原稿台３ａへの原稿の載置及び原稿台３ａからの原稿の取り除きは、原稿台カバー１１をスキャンユニット３に対し回動させて開状態にし、原稿台３ａを露出させた状態で行われる。
【００１８】
ここで、この画像形成装置１では、スキャンユニット３をプリンタ筐体１０に対し回動させるときには、スキャンユニット３に対して原稿台カバー１１が閉状態のまま保持されるように構成されている。原稿台カバー１１は、原稿台カバー１１下面のうち、画像形成装置１の側部近傍部位に、下面に向け突設されている被係合部１３に、スキャンユニット３のプリンタ筐体１０に対する開閉姿勢に応じて変位するように構成されたロック機構４０が係合することにより閉状態のまま保持される。
【００１９】
図３及び図４は、画像形成装置１の被係合部１３及びロック機構４０が配置されている部位を示す。本実施形態において、スキャナ筐体３５の上面のうち被係合部１３に対応する部位には、前後方向が長手方向となるような長穴形状でスキャナ筐体３５の内部に貫通するロック孔部３６が形成されている。また、スキャナ筐体３５の下面のうちロック孔部３６に対応する部位には、ロック孔部３６と同様に前後方向が長手方向となる長穴形状の貫通孔３７が形成されている。そして、プリンタ筐体１０の上面のうち、貫通孔３７に対応する部位には、前後方向に沿うようにスライド溝１０ｂが形成されている。
【００２０】
被係合部１３は、図４に示すように、画像形成装置１の左右方向に略水平となる軸状部１３ａを、その両側部に接続された側板部１３ｂで原稿台カバー１１の下面から下方に離れるように支持するように形成されている。被係合部１３は、原稿台カバー１１と一体に形成されており、画像形成装置１の製造コストが低くなるように構成されている。
【００２１】
ロック機構４０は、スライド部材４１、スライド部材４１に軸支された連結ロッド４２、及び連結ロッド４２に一端部が連結されたフック部材４３等で構成されている。図３に示すように、スライド部材４１は、スライド部材４１の上部にクレビス形状を有するロッド軸支部４１ａを有し、スライド溝１０ｂに前後方向に摺動可能に嵌装されている。連結ロッド４２は、その一端部が、ロッド軸支部４１ａにて、回動軸が略水平となるようにスライド部材４１に対し回動可能に軸支されており、その他端側が貫通孔３７を介してスキャナ筐体３５内部に埋入されるように配設されている。フック部材４３は、例えば略棒形状であり、その中央部近傍部位にはフック回動軸４３ａが形成されている。スキャナ筐体３５の上内面には、フック軸支部３８が下方に向け突設されている。フック部材４３は、回動軸が略水平となるように、このフック軸支部３８にフック回動軸４３ａが軸支された状態で、回動可能に配置されている。フック部材４３の一端部には連結軸４３ｂが形成されており、回動軸が略水平となるように、互いに回動可能に連結ロッド４２と連結されている。フック部材４３の他端部には、被係合部１３に係合可能な係合フック４３ｃが形成されている。図に示すように、フック部材４３は、係合フック４３ｃがロック孔部３６に対応する位置になるように配置されている。
【００２２】
図５（ａ）、（ｂ）は、ロック機構４０を示す。以下、図５（ａ）、（ｂ）を参照しつつ、ロック機構４０の動作について説明する。図５（ａ）に示すように、スキャンユニット３が開口部１０ａを覆う閉状態であるときには、フック部材４３が略水平姿勢となるように構成されている。すなわち、スキャンユニット３が閉状態であるときには、係合フック４３ｃも含め、フック部材４３がスキャナ筐体３５の上方に突出しないように構成されている。このとき、原稿台カバー１１は、図に点線で示すように開状態にすることが可能であり、原稿台３ａ上に原稿を載置可能である。
【００２３】
図５（ｂ）に矢印Ａで示すように、スキャンユニット３が閉状態から上方に回動されると、ロッド軸支部４１ａとフック軸支部３８との間の距離が変化する。それに伴い、図の矢印Ｒで示すように、連結ロッド４２がロッド軸支部４１ａ周りに回動すると共に、フック部材４３の連結軸４３ｂ側の端部が連結ロッド４２に引っ張られることにより、フック部材４３がフック回動軸４３ａ周りに回動する。すなわち、スキャンユニット３が開状態になるときには、フック部材４３がスキャナ筐体３５に対し回動し、図４に示すように、係合フック４３ｃがロック孔部３６を介しスキャナ筐体３５の上方に突出する。本実施形態において、係合フック４３ｃは、スキャンユニット３が閉状態から所定の角度（例えば、支持アーム１８をスキャンユニット３とプリンタ筐体１０との間で突っ張らせたときの角度）だけ回動したときに、スキャナ筐体３５の上方に突出した係合フック４３ｃが、スキャンユニット３に対し閉状態にある原稿台カバー１１の被係合部１３に係合するような位置となるように構成されている。そして、本実施形態においては、係合フック４３ｃが被係合部１３に係合した状態から、図５（ｂ）に矢印Ｓで示すようにスライド部材４１を後方にスライドさせることにより、スキャンユニット３を、その所定の角度からさらに上方に回動させることができるように構成されている。なお、スキャンユニット３の、プリンタ筐体１０に対する、係合フック４３ｃが被係合部１３に係合するときの角度は、上述に限られず、例えば、スキャンユニット３を閉状態から回動させたときにすぐに係合するように構成されていてもよい。
【００２４】
このように、本実施形態においては、原稿台カバー１１が閉状態にあるとき、スキャンユニット３が開状態になるに伴い、係合フック４３ｃが突出して被係合部１３に係合するので、原稿台カバー１１を閉状態に固定するために特別な操作を行わなくても、原稿台カバー１１が閉状態のまま保持される。従って、スキャンユニット３のプリンタ筐体１０に対する回動角が大きくなっても、原稿台カバー１１が後方に倒れることがなくなり、画像形成装置１の組立作業を容易に行うことができる。また、フック部材４３は、スキャンユニット３が閉状態であるときには略水平姿勢であり、スキャナ筐体３５の内部に収納されているので、スキャンユニット３が閉状態である通常使用時において、画像形成装置１が使用しやすく、また、画像形成装置１の外観も良好である。そして、連結ロッド４２が軸支されるスライド部材４１が前後方向に摺動可能に配置されているので、原稿台カバー１１を閉状態のまま保持した状態でも、スキャンユニット３をより幅広い角度に回動させることができる。
【００２５】
なお、本発明は上記実施形態の構成に限定されるものではなく、発明の趣旨を変更しない範囲で適宜に種々の変形が可能である。例えば、ロック機構は、上述のように略棒形状に形成された部材からなるものでなくてもよく、例えばスキャナ筐体に回動自在に軸支されたロッカーアームがスキャンユニットの回動に応じて回動するように構成されていてもよい。また、被係合部は、原稿台カバーにロック機構が係合可能に形成されていてもよく、また、例えば、原稿台カバーとは別部材にて構成され原稿台カバーに取り付けられているようなものであってもよい。
【図面の簡単な説明】
【００２６】
【図１】本発明の一実施形態に係る画像形成装置の一例を示す斜視図。
【図２】上記装置のスキャンユニットを回動させた状態を示す斜視図。
【図３】上記装置のロック機構を示す斜視図。
【図４】上記ロック機構と被係合部とを示す斜視図。
【図５】（ａ）は上記スキャンユニットが閉状態であるときのロック機構を示す側面図、（ｂ）は上記スキャンユニットが開状態であるときのロック機構を示す側面図。
【図６】従来の画像形成装置の一例を示す側面図。
【符号の説明】
【００２７】
１  画像形成装置
２  画像形成部
３  スキャンユニット
３ａ  原稿台
１０  プリンタ筐体
１０ａ  開口部
１１  原稿台カバー
１３  被係合部
３０  読取部
３５  スキャナ筐体
３６  ロック孔部
３８  フック軸支部
４０  ロック機構
４１  スライド部材
４１ａ  ロッド軸支部
４２  連結ロッド
４３  フック部材
４３ａ  フック回動軸
４３ｃ  係合フック
【図１】
2008180892.tif 000003
【図２】
2008180892.tif 000004
【図３】
2008180892.tif 000005
【図４】
2008180892.tif 000006
【図５】
2008180892.tif 000007
【図６】
2008180892.tif 000008